(57)【要約】【課題】端末装置間でのパケット損失をより確実に検出すること。【解決手段】パケット管理装置３ｃが備えるサーバ装置２側の計測部は、受信したサーバ装置２からクライアント装置１ｂ宛のパケットの数を計測する。パケット管理装置３ｂが備えるクライアント装置１ｂ側の計測部は、ネットワーク４を介してクライアント装置１ｂ宛に送信するパケットの数を計測する。パケット管理装置３ｃのコマンドラインインタフェースは、パケット管理装置３ｃが備えるサーバ装置２側の計測部の計測結果と、パケット管理装置３ｂが備えるクライアント装置１ｂ側の計測部の計測結果とに基づいて、パケットの消失結果を示す情報を作成する。【選択図】図１
2012213044.tif 000002
【特許請求の範囲】
【請求項１】
第１の装置側に設けられた第１のインタフェースと、
前記第１のインタフェースを介して受信した前記第１の装置から第２の装置宛のパケットの数を計測する第１の計測部と、
前記第１の計測部の計測結果と、当該パケット管理装置以外のパケット管理装置が備える前記第２の装置側に設けられた第２のインタフェースを介して送信する前記第１の装置から第２の装置宛のパケットの数を計測する第２の計測部の計測結果とに基づいて、前記パケットの消失結果を示す情報を作成する作成部と、
を有することを特徴とするパケット管理装置。
【請求項２】
当該パケット管理装置は、前記パケットの受信に先立って送信される前記パケットの送信元を識別する情報と前記パケットの送信先を識別する情報を記憶する第１の記憶部をさらに有し、
当該パケット管理装置以外の前記パケット管理装置は、前記パケットの受信に先立って送信される前記パケットの送信元を識別する情報と前記パケットの送信先を識別する情報を記憶する第２の記憶部をさらに有し、
前記第１の計測部および前記第２の計測部は、前記記憶部に記憶された前記送信元を識別する情報と前記送信先を識別する情報に一致するパケットの数を計測することを特徴とする請求項１記載のパケット管理装置。
【請求項３】
コンピュータが、
第１の装置側に設けられた第１のインタフェースを介して受信した前記第１の装置から第２の装置宛のパケットの第１の数を計測し、
当該パケット管理装置以外のパケット管理装置が計測した、前記第２の装置側に設けられた第２のインタフェースを介して送信される前記第１の装置から第２の装置宛のパケットの第２の数と、前記第１の数とに基づいて、前記パケットの消失結果を示す情報を作成する、
ことを特徴とするパケット管理方法。
【発明の詳細な説明】
【技術分野】
【０００１】
本発明はパケット管理装置およびパケット管理方法に関する。
【背景技術】
【０００２】
ネットワークにおいて通信エラーが発生した場合、パケットをキャプチャして通信エラーの原因を特定する技術が知られている。
例えば、品質測定に用いる品質測定用パケットを任意の測定拠点に配置された送信側プローブと受信側プローブとの間で送受信し、測定拠点間のパケット損失率を算出する方法が知られている。
【先行技術文献】
【特許文献】
【０００３】
【特許文献１】特開２００８−５８９０６号公報
【特許文献２】特開２００９−２２５０８９号公報
【発明の概要】
【発明が解決しようとする課題】
【０００４】
前述した方法ではプローブ間でのパケット損失率は算出できるが、実際のパケットは例えばクライアント装置間や、クライアント装置−サーバ装置間等の端末装置間でやりとりされる。従って、前述した方法では、端末装置間でのパケット損失を一度に検出することは難しいという問題があった。
【０００５】
本発明はこのような点に鑑みてなされたものであり、端末装置間でのパケット損失をより確実に検出するパケット管理装置およびパケット管理方法を提供することを目的とする。
【課題を解決するための手段】
【０００６】
上記目的を達成するために、開示のパケット管理装置が提供される。このパケット管理装置は、第１のインタフェースと第１の計測部と作成部とを有している。
第１の計測部は、第１の装置側に設けられた第１のインタフェースを介して受信した第１の装置から第２の装置宛のパケットの数を計測する。
【０００７】
作成部は、第１の計測部の計測結果と、当該パケット管理装置以外のパケット管理装置が備える第２の装置側に設けられた第２のインタフェースを介して送信する第１の装置から第２の装置宛のパケットの数を計測する第２の計測部の計測結果とに基づいて、パケットの消失結果を示す情報を作成する。
【発明の効果】
【０００８】
端末装置間でのパケット損失をより確実に検出することができる。
【図面の簡単な説明】
【０００９】
【図１】実施の形態のネットワークシステムを示す図である。
【図２】ネットワーク管理装置のハードウェアの一構成例を示す図である。
【図３】パケット管理装置の機能を示すブロック図である。
【図４】調査開始コマンドを入力する際、モニタに表示されるコマンド画面の一例を説明する図である。
【図５】調査開始パケットを説明する図である。
【図６】パケット管理装置のメモリ領域に記憶される情報を説明する図である。
【図７】受領確認パケットを説明する図である。
【図８】調査データ表示コマンドを入力することによりモニタに表示されるコマンド画面の一例を説明する図である。
【図９】調査結果パケットを説明する図である。
【図１０】調査結果確認コマンドを入力することによりモニタに表示されるコマンド画面の一例である。
【図１１】調査データ削除コマンドを入力することによりモニタに表示されるコマンド画面の一例である。
【図１２】第１の処理を示すフローチャートである。
【図１３】第２の処理を示すフローチャートである。
【図１４】第３の処理を示すフローチャートである。
【発明を実施するための形態】
【００１０】
以下、実施の形態のパケット管理装置を、図面を参照して詳細に説明する。
図１は、実施の形態のネットワークシステムを示す図である。
実施の形態のネットワークシステム１０は、クライアント装置（コンピュータ）１ａ、１ｂが、それぞれパケット管理装置３ａ、３ｂを介してネットワーク４に接続されている。また、サーバ装置２が、パケット管理装置３ｃを介してネットワーク４に接続されている。なお、クライアント装置１ａ、パケット管理装置３ａ間、クライアント装置１ｂ、パケット管理装置３ｂ間、およびサーバ装置２、パケット管理装置３ａ間は、それぞれネットワーク４とは異なるネットワーク４ａ、４ｂ、４ｃにより接続されている。
【００１１】
例えば、クライアント装置１ａからサーバ装置２へのアクセスは、パケット管理装置３ａ、ネットワーク４、パケット管理装置３ｃを介して行われる。
パケット管理装置３ａ、３ｂ、３ｃは、それぞれ同等の機能を有している。パケット管理装置３ａは、パケット管理装置３ａ、３ｃ間を通るクライアント装置１ａとサーバ装置２間のパケットを計数する機能を有している。また、パケット管理装置３ｂは、パケット管理装置３ｂ、３ｃ間を通るクライアント装置１ｂとサーバ装置２間のパケットを計数する機能を有している。また、パケット管理装置３ｃは、パケット管理装置３ａ、３ｃ間を通るクライアント装置１ａとサーバ装置２間のパケットを計数する機能と、パケット管理装置３ｂ、３ｃ間を通るクライアント装置１ｂとサーバ装置２間のパケットを計数する機能を有している。また、パケット管理装置３ａ、３ｂ、３ｃは、例えばルータやレイヤー３スイッチ等が有する機能も有している。
【００１２】
パケット管理装置３ｃには、ネットワーク管理装置５がコンソールケーブル等で接続されている。ネットワーク管理装置５は、ネットワーク管理者の操作により、パケット管理装置３ｃに対しパケットロス（損失）の調査を指示したり、指示の結果得られたパケットロスの情報をネットワーク管理装置５に接続されたモニタに表示したりする。
【００１３】
以下の説明では、サーバ装置のＩＰアドレスが「１０．５０．１．１００」、クライアント装置１ｂのＩＰアドレスが「１０．５０．２．１００」、パケット管理装置３ｃのＩＰアドレスが「１０．１．１．１」、パケット管理装置３ｂのＩＰアドレスが「１０．１．１．２」、パケット管理装置３ａのＩＰアドレスが「１０．１．１．３」であるものとする。
【００１４】
図２は、ネットワーク管理装置のハードウェアの一構成例を示す図である。ネットワーク管理装置５は、ＣＰＵ５１によって装置全体が制御されている。ＣＰＵ５１には、バス５８を介してＲＡＭ５２と複数の周辺機器が接続されている。
【００１５】
ＲＡＭ５２は、ネットワーク管理装置５の主記憶装置として使用される。ＲＡＭ５２には、ＣＰＵ５１に実行させるＯＳ（Operating System）のプログラムやアプリケーションプログラムの少なくとも一部が一時的に格納される。また、ＲＡＭ５２には、ＣＰＵ５１による処理に使用する各種データが格納される。
【００１６】
バス５８に接続されている周辺機器としては、ハードディスクドライブ（HDD:Hard Disk Drive）５３、グラフィック処理装置５４、入力インタフェース５５、ドライブ装置５６、および通信インタフェース５７がある。
【００１７】
ハードディスクドライブ５３は、内蔵したディスクに対して、磁気的にデータの書き込みおよび読み出しを行う。ハードディスクドライブ５３は、ネットワーク管理装置５の二次記憶装置として使用される。ハードディスクドライブ５３には、ＯＳのプログラム、アプリケーションプログラム、および各種データが格納される。なお、二次記憶装置としては、フラッシュメモリ等の半導体記憶装置を使用することもできる。
【００１８】
グラフィック処理装置５４には、モニタ５４ａが接続されている。グラフィック処理装置５４は、ＣＰＵ５１からの命令に従って、画像をモニタ５４ａの画面に表示させる。モニタ５４ａとしては、ＣＲＴ（Cathode Ray Tube）を用いた液晶表示装置等が挙げられる。
【００１９】
入力インタフェース５５には、キーボード５５ａとマウス５５ｂとが接続されている。入力インタフェース５５は、キーボード５５ａやマウス５５ｂから送られてくる信号をＣＰＵ５１に送信する。なお、マウス５５ｂは、ポインティングデバイスの一例であり、他のポインティングデバイスを使用することもできる。他のポインティングデバイスとしては、タッチパネル、タブレット、タッチパッド、トラックボール等が挙げられる。
【００２０】
ドライブ装置５６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置５６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００２１】
通信インタフェース５７は、パケット管理装置３ｃに接続されている。
次に、パケット管理装置３ａ〜３ｃの機能を説明する。以下、パケット管理装置３ｂが有する機能を説明するが、パケット管理装置３ａ、３ｃもパケット管理装置３ｂが有する機能と同等の機能を有している。
【００２２】
図３は、パケット管理装置の機能を示すブロック図である。
パケット管理装置３ｂは、ＣＰＵ３１と、ＲＡＭ３２と、インタフェース３３ａ、３３ｂ、３３ｃ、３３ｄと、計測部３４ａ、３４ｂ、３４ｃ、３４ｄと、コマンドラインインタフェース３５とを有している。
【００２３】
ＣＰＵ３１は、パケット管理装置３ｂの全体を制御する。このＣＰＵ３１には、パケット転送処理を司るパケット転送処理部３１ａが設けられている。このパケット転送処理部３１ａは、インタフェース３３ａ、３３ｂ、３３ｃ、３３ｄ間のパケットの転送（受け渡し）を制御する。ＣＰＵ３１には、図示しないバスを介してＲＡＭ３２が接続されている。
【００２４】
ＲＡＭ３２は、パケット管理装置３ｂの主記憶装置として使用される。ＲＡＭ３２には、ＣＰＵ３１に実行させるアプリケーションプログラムの少なくとも一部が一時的に格納される。また、ＲＡＭ３２には、ＣＰＵ３１による処理に使用する各種データが格納される。
【００２５】
ＲＡＭ３２は、記憶部の一例である。ＲＡＭ３２には、ＣＰＵ３１のパケット転送処理において計測部３４ａ、３４ｂ、３４ｃ、３４ｄそれぞれが有するパケットロス調査部、およびコマンドラインインタフェース３５が作成する情報を一時的に記憶するメモリ領域３２ａが設けられている。
【００２６】
インタフェース３３ａ、３３ｂ、３３ｃ、３３ｄは、クライアント装置１ｂおよびサーバ装置２間のパケットを中継する。
計測部３４ａ、３４ｂ、３４ｃ、３４ｄは、それぞれインタフェース３３ａ、３３ｂ、３３ｃ、３３ｄに対応して設けられている。計測部３４ａ、３４ｂ、３４ｃ、３４ｄは、それぞれ同等の機能を有している。例えば計測部３４ａは、パケットフィルタ３４１ａと、統計情報を記憶する統計情報記憶部３４２ａと、パケットロスを調査するパケットロス調査部３４３ａとを有している。
【００２７】
パケットフィルタ３４１ａは、ＩＰアドレスやポート番号等の情報に基づいて、インタフェース３３ａが受信したパケットを中継（許可）するべきか、それとも遮断（拒否）するべきかの判断を行う。
【００２８】
統計情報記憶部３４２ａは、インタフェース３３ａが送受信したパケット数をそれぞれ統計情報として記憶する。
パケットロス調査部３４３ａは、コマンドラインインタフェース３５からの通知に応じて調査開始時刻以後、調査終了時刻までパケットロスの調査を行う。パケットロス調査部３４３ａは、例えば、クライアント装置１ｂがサーバ装置２にデータを送信する際に作成したパケットをインタフェース３３ａを介して受け取ると、パケット転送処理部３１ａがパケットの出力先としてインタフェース３３ｃを指定する。そして、受け取ったパケットをインタフェース３３ｃから出力する。この際、パケットロス調査部３４３ａおよびパケットロス調査部３４３ｃがパケットロスを調査する。以下、調査開始時刻以後、調査終了時刻までの時間を「パケット調査時間」とも言う。そして、調査結果をメモリ領域３２ａに記憶する。
【００２９】
コマンドラインインタフェース３５は、パケット管理装置３ｃから送信される各種パケットに応じて、メモリ領域３２ａにパケットに含まれるデータを設定したり、メモリ領域３２ａに記憶されているデータを削除したりする。また、コマンドラインインタフェース３５は、パケット管理装置３ｃから送られてくる各種パケットに応じて、メモリ領域３２ａに記憶された情報を、パケット管理装置３ｃに送信する。
【００３０】
次に、パケット管理装置３ａ、３ｂ、３ｃに所定の処理を実行させるため、ネットワーク管理者がネットワーク管理装置５に入力する各種コマンドを説明する。各種コマンドの一例として、調査開始コマンド（research）、調査データ表示コマンド（show research）、調査結果表示コマンド（research result）、および調査データ削除コマンド（delete research）が挙げられる。
【００３１】
＜調査開始コマンド＞
図４は、調査開始コマンドを入力する際、モニタに表示されるコマンド画面の一例を説明する図である。
【００３２】
調査開始コマンドは、パケット管理装置３ａ〜３ｃのうち、パケットロスの調査を希望するパケット管理装置にパケットロスの調査を実行させる際に、ネットワーク管理者がネットワーク管理装置５に入力するコマンドである。
【００３３】
図４に示すコマンド画面６１は、ネットワーク管理者がネットワーク管理装置５を操作して入力する調査開始コマンドの一例である。コマンド画面６１の３行目には、ネットワーク管理者が、調査開始コマンド「research」を入力したことが表示されている。また、コマンド画面６１には、調査開始コマンドとともに、採取対象パケット宛先ＩＰアドレス（Destination Address）「１０．５０．２．１００」、採取対象パケット宛先ポート番号（Destination Port）「５０５０」、依頼先ＩＰアドレス（Agent Address）「１０．１．１．２」、依頼先インタフェース（Agent Interface）「０」、採取対象パケット送信元ＩＰアドレス（Source Address）「１０．５０．１．１００」、採取対象パケット送信元ポート番号（Source Port）「５０５０」、依頼元ＩＰアドレス（Requester Address）「１０．１．５．１」、依頼元インタフェース（Requester Interface）「０」、調査開始時刻（Start Time）「２０１１／１／１．１０：００：００」、調査終了時刻（End Time）「２０１１／１／２．１０：００：００」、およびプロトコル番号「４」を入力したことが表示されている。なお、採取対象パケット送信元ＩＰアドレスは、調査対象のパケットの送信元の機器のＩＰアドレスである。採取対象パケット宛先ＩＰアドレスは、調査対象のパケットの宛先の機器のＩＰアドレスである。また、依頼先インタフェース「０」は、依頼先のインタフェースを識別する番号であり、例えば「０」はＬＡＮを示す。また、図４に示す調査開始時刻は、２０１１年１月１日１０時００分００秒を示す。プロトコル番号は、調査対象のパケットのプロトコルを識別する番号であり、例えば「４」は、ＩＰプロトコルを示す。
【００３４】
なお、コマンド画面６１に表示された調査開始コマンドは、サーバ装置２のポート「５０５０」からクライアント装置のポート「５０５０」に所定のプロトコルにより届くパケットの調査を、依頼元のパケット管理装置３ｃ、依頼先のパケット管理装置３ｂ間において２０１１年１月１日１０時００分００秒から２０１１年１月２日１０時００分００秒まで実行させることを示している。
【００３５】
ネットワーク管理装置５は、ネットワーク管理者がコマンドを入力する度に、リサーチ番号を採番し、調査開始コマンドに関連づける。図４では、ネットワーク管理者が入力した情報にリサーチ番号「Ｎｏ：５」が関連づけられたことを示している。
【００３６】
ネットワーク管理者が入力した情報を確定すると、ネットワーク管理装置５は、調査開始パケットをパケット管理装置３ｃに送信する。
図５は、調査開始パケットを説明する図である。
【００３７】
調査開始パケットＰ１には、ネットワーク管理者が入力した情報を記憶する領域が設定されている。なお、調査開始パケットＰ１の上部に示す０から３１までの数字は、ビット（bit）を示している。コマンド種別の欄には、調査開始コマンド「research」を識別する情報が設定される。依頼先フラグの欄には、パケット調査依頼を受けたことを示す依頼先フラグが設定される。リサーチ番号の欄には、リサーチ番号を識別する情報が設定される。依頼元ＩＰアドレスの欄には、依頼元ＩＰアドレスが設定される。依頼先ＩＰアドレスの欄には依頼先ＩＰアドレスが設定される。依頼元インタフェースの欄には、依頼元インタフェースが設定される。依頼先インタフェースの欄には、依頼先インタフェースが設定される。採取対象パケット送信元ＩＰアドレスの欄には、送信元ＩＰアドレスが設定される。採取対象パケット宛先ＩＰアドレスの欄には、宛先ＩＰアドレスが設定される。採取対象パケット宛先ポート番号の欄には宛先ポート番号が設定される。採取対象パケット送信元ポート番号の欄には、送信元ポートが設定される。採取対象パケットプロトコル番号の欄には、プロトコル番号が設定される。調査開始時刻の欄には、調査開始時刻が設定される。調査終了時刻の欄には、調査終了時刻が設定される。
【００３８】
パケット管理装置３ｃのコマンドラインインタフェースは、調査開始パケットＰ１をネットワーク管理装置５から受信すると、調査開始パケットＰ１に含まれる依頼元ＩＰアドレスおよび依頼先ＩＰアドレスの欄を参照する。そして、依頼元ＩＰアドレスの欄に含まれる依頼元ＩＰアドレスを有するパケット管理装置および依頼先ＩＰアドレスの欄に含まれる依頼先ＩＰアドレスを有するパケット管理装置に調査開始パケットＰ１を転送する。例えば、図４に示すコマンド画面６１の内容が含まれた調査開始パケットＰ１であれば、依頼元ＩＰアドレス「１０．１．５．１」に基づいて、パケット管理装置３ｃは、当該パケット管理装置３ｃが依頼元のパケット管理装置であることを認識する。認識すると、パケット管理装置３ｃは、調査開始パケットＰ１に含まれる情報をメモリ領域に記憶する。また、パケット管理装置３ｃは、依頼先ＩＰアドレス「１０．１．１．２」を有するパケット管理装置３ｂに調査開始パケットＰ１を転送する。調査開始パケットＰ１を受け取ったパケット管理装置３ｂは、調査開始パケットＰ１に含まれる情報をメモリ領域３２ａに記憶する。この処理により、調査開始パケットＰ１に含まれる情報（同じ情報）が、パケット管理装置３ｂ、３ｃそれぞれのメモリ領域に記憶される。
【００３９】
図６は、パケット管理装置のメモリ領域に記憶される情報を説明する図である。
コマンドラインインタフェース３５は、調査開始パケットＰ１を受け取る度に、ＲＡＭ３２内に１つのメモリ領域３２ａを確保する。各メモリ領域３２ａには、それぞれ調査開始パケットＰ１に応じた調査内容データ３２１が設定される。各調査内容データ３２１は、依頼先フラグ（１６ビット）、リサーチ番号（３２ビット）、依頼元ＩＰアドレス（３２ビット）、依頼先ＩＰアドレス（３２ビット）、依頼元インタフェース（１６ビット）、依頼先インタフェース（１６ビット）、採取対象パケット送信元ＩＰアドレス（３２ビット）、採取対象パケット宛先ＩＰアドレス（３２ビット）、採取対象パケット宛先ポート番号（１６ビット）、採取対象パケット送信元ポート番号（１６ビット）、採取対象パケットプロトコル番号（８ビット）、調査開始時刻（３８ビット）、調査終了時刻（３８ビット）、調査状態（７ビット）、依頼種別（７ビット）、宛先パケット量カウンタ（６４ビット）、および送信元パケット量カウンタ（６４ビット）が設定される。なお、調査状態は、調査準備中を示す「１」、調査中を示す「２」、調査完了を示す「３」のいずれかが設定される。この調査状態は、計測部３４ａ〜３４ｄが備えるパケットロス調査部が、調査開始時刻および調査終了時刻に基づいて決定する。具体的には、調査開始時刻より前の時刻では、調査状態を「１」に設定する。調査開始時刻以後、調査終了時刻以前の時刻では調査状態を「２」に設定する。調査終了時刻より後の時刻では調査状態を「３」に設定する。また、依頼種別には、当該メモリ領域３２ａを備えるパケット管理装置が、依頼元のパケット管理装置であることを示す「１」、当該メモリ領域３２ａを備えるパケット管理装置が、依頼先のパケット管理装置であることを示す「２」のいずれかが設定される。また、宛先パケット量カウンタは、調査期間内にパケット管理装置３ｂが受信した宛先ＩＰアドレス宛のパケットの数を計数するカウンタである。また、送信元パケット量カウンタは、調査期間内にパケット管理装置３ｂが受信した送信元ＩＰアドレス宛のパケットの数を計数するカウンタである。なお、当該メモリ領域３２ａを備えるパケット管理装置が、依頼元のパケット管理装置であるか、依頼先のパケット管理装置であるかは、調査開始パケットＰ１に含まれる依頼元ＩＰアドレスおよび依頼先ＩＰアドレスと、当該パケット管理装置のＩＰアドレスを比較することにより判断する。すなわち、当該パケット管理装置のＩＰアドレスが調査開始パケットＰ１に含まれる依頼元ＩＰアドレスに一致すれば、当該パケット管理装置が、依頼元のパケット管理装置であると判断する。また、当該パケット管理装置のＩＰアドレスが調査開始パケットＰ１に含まれる依頼先ＩＰアドレスに一致すれば、当該パケット管理装置が、依頼先のパケット管理装置であると判断する。
【００４０】
ところで、調査開始パケットＰ１を受け取ったパケット管理装置３ｂは、受領確認用のパケット（以下、「受領確認パケット」と言う）をパケット管理装置３ｃに転送するようにしてもよい。
【００４１】
図７は、受領確認パケットを説明する図である。
受領確認パケットＰ２の調査開始パケットＰ１と同様の名称の欄には、調査開始パケットＰ１にて説明した情報と同じ情報が設定される。状況の欄には、調査開始パケットＰ１を受理したことを示す情報または、ネットワークが確立していない等の理由により、調査ができない状態であることを示す情報が設定される。
【００４２】
＜調査データ表示コマンド＞
次に、調査データ表示コマンドを説明する。調査データ表示コマンドは、今までに入力した調査開始コマンドの内容、および調査開始コマンドによるパケットロスの調査の進捗を、調査開始パケットＰ１を送信したパケット管理装置から取得する際に、ネットワーク管理者がネットワーク管理装置５に入力するコマンドである。例えば、調査データ表示コマンドを受け付けたパケット管理装置３ｃは、リサーチ番号毎に調査の進捗を示す調査確認パケット（図示せず）を作成する。この調査確認パケットは、調査開始パケットＰ１と同様の情報に加え、調査状態の情報も含まれている。
【００４３】
調査確認パケットを作成したパケット管理装置３ｃは、作成した調査確認パケットを、パケット管理装置３ｃのコマンドラインインタフェースを介してネットワーク管理装置５に送る。調査確認パケットを受信したネットワーク管理装置５は、調査確認パケットに含まれる情報をモニタ５４ａに表示する。
【００４４】
図８は、調査データ表示コマンドを入力することによりモニタに表示されるコマンド画面の一例を説明する図である。
コマンド画面６２の３行目には、ネットワーク管理者が、調査データ表示コマンド「show research」を入力したことが表示されている。そして、コマンド画面６２の４行目以降には、調査データ表示コマンド「show research」の入力によりパケット管理装置３ｃから受け取った調査確認パケットに含まれる情報が表示されている。表示されている情報には、調査開始コマンドに含まれる情報に加え、調査状態（Status）を示す情報が追加されている。図８に示すコマンド画面６２では、調査確認パケットに含まれる調査状態が「３」であることを示す「Ｆｉｎｉｓｈ」が表示されている。なお、調査確認パケットに含まれる調査状態が「１」である場合、「Ｓｔａｎｄｂｙ」が表示される。調査確認パケットに含まれる調査状態が「２」である場合、「Ｄｕｒｉｎｇ」が表示される。
【００４５】
また、特定のリサーチ番号を指定して調査確認パケットの受け取りを希望する調査データ表示コマンドを入力することもできる。例えばネットワーク管理者が、リサーチ番号５の調査確認パケットの受け取りを希望する場合には、調査データ表示コマンド「show research 5」を入力する。
【００４６】
＜調査結果確認コマンド＞
次に、調査結果確認コマンドを説明する。調査結果確認コマンドは、パケット管理装置３ａ、３ｂ、３ｃが、今までに実行したパケットロスの調査結果を示すデータを、調査開始コマンドを送ったパケット管理装置から取得する際に、ネットワーク管理者がネットワーク管理装置５に入力するコマンドである。例えば、調査結果確認コマンドを受け付けたパケット管理装置３ｃは、リサーチ番号毎に調査結果を示す調査結果パケットを作成する。
【００４７】
調査結果パケットＰ３の作成に際し、パケット管理装置３ｃは、パケット管理装置３ｂのコマンドラインインタフェース３５に対し、リサーチ番号毎の調査内容データ３２１に含まれる宛先パケット量カウンタのカウンタ値の送信を要求する。そして、コマンドラインインタフェース３５は、リサーチ番号に関連づけられた宛先パケット量カウンタのカウンタ値を受信すると、受信した宛先パケット量カウンタのカウンタ値を含めた調査結果パケットＰ３を作成する。すなわち、調査結果パケットＰ３に含まれるのは、パケット管理装置３ｃのメモリ領域に記憶された調査内容データ３２１の送信元パケット量カウンタのカウンタ値と、パケット管理装置３ｂのメモリ領域３２ａに記憶された調査内容データ３２１の宛先パケット量カウンタのカウンタ値である。
【００４８】
図９は、調査結果パケットを説明する図である。
調査結果パケットＰ３のメモリ領域３２ａと同じ名称の欄には、メモリ領域３２ａの説明時に説明した情報と同じ情報が設定される。採取対象パケット送信統計情報の欄には、依頼元ＩＰアドレスを備えるパケット管理装置のメモリ領域３２ａの送信元パケット量カウンタに記憶されたカウンタ数、が設定される。採取対象パケット受信統計情報の欄には、依頼先ＩＰアドレスを備えるパケット管理装置のメモリ領域３２ａの宛先パケット量カウンタに記憶されたカウンタ数が設定される。
【００４９】
パケット管理装置３ｃは、作成した調査結果パケットＰ３をネットワーク管理装置５に送る。調査結果パケットＰ３を受信したネットワーク管理装置５は、調査結果パケットＰ３に含まれる情報をモニタ１０４ａに表示する。なお、調査結果確認コマンドを受け付けたパケット管理装置３ｂは、パケットロスの調査が完了していない場合、調査未完了通知を、調査結果パケットＰ３を送信したパケット管理装置３ｃに返すようにしてもよい。調査未完了通知を受け取ったパケット管理装置３ｃは、コマンド画面に何も表示しない、または、調査未完了である旨を示す情報をモニタ５４ａに表示することができる。
【００５０】
図１０は、調査結果確認コマンドを入力することによりモニタに表示されるコマンド画面の一例である。
図１０に示すコマンド画面６３の３行目には、ネットワーク管理者が、調査確認結果コマンド「research result 5」を入力したことが表示されている。そして、コマンド画面６３の４行目以降には、調査確認結果コマンド「research result 5」の入力によりパケット管理装置３ｃから受け取った調査結果パケットＰ３に含まれる情報が表示されている。調査開始時刻（Start Time）には、調査開始コマンドにより指定された調査開始時刻が設定されている。調査終了時刻（End Time）には、調査開始コマンドにより指定された調査終了時刻が設定されている。
【００５１】
また、コマンド画面６３には、Ｔｙｐｅ、ＩＰ  Ａｄｄｒｅｓｓ、Ｐｏｒｔ、Ｉｎｔｅｒｆａｃｅ、Ｔａｒｇｅｔ  ＰａｃｋｅｔｓおよびＬｏｓｔ  Ｐａｃｋｅｔｓの欄が設定されている。横方向に並べられた情報同士が互いに関連づけられている。
【００５２】
Ｔｙｐｅの欄には、パケット送信元のクライアント装置またはサーバ装置を示す「Ｓｒｃ」およびパケット宛先のクライアント装置またはサーバ装置を示す「Ｄｓｔ」が設定されている。
【００５３】
Ｔｙｐｅの欄に「Ｓｒｃ」が設定されたＩＰ  Ａｄｄｒｅｓｓの欄には、調査結果パケットＰ３に含まれる採取対象パケット送信元ＩＰアドレスが表示されている。Ｔｙｐｅの欄に「Ｄｓｔ」が設定されたＩＰ  Ａｄｄｒｅｓｓの欄には、調査結果パケットＰ３に含まれる採取対象パケット宛先ＩＰアドレスが表示されている。
【００５４】
Ｔｙｐｅの欄に「Ｓｒｃ」が設定されたＰｏｒｔの欄には、調査結果パケットＰ３に含まれる採取対象パケット送信元ポート番号が表示されている。Ｔｙｐｅの欄に「Ｄｓｔ」が設定されたＰｏｒｔの欄には、調査結果パケットＰ３に含まれる採取対象パケット宛先ポート番号が表示されている。
【００５５】
Ｔｙｐｅの欄に「Ｓｒｃ」が設定されたＩｎｔｅｒｆａｃｅの欄には、調査結果パケットＰ３に含まれる依頼元インタフェースが表示されている。Ｔｙｐｅの欄に「Ｄｓｔ」が設定されたＩｎｔｅｒｆａｃｅの欄には、調査結果パケットＰ３に含まれる依頼先インタフェースが表示されている。
【００５６】
Ｔｙｐｅの欄に「Ｓｒｃ」が設定されたＴａｒｇｅｔ  Ｐａｃｋｅｔｓの欄には、調査結果パケットＰ３に含まれる採取対象パケット送信統計情報が表示されている。Ｔｙｐｅの欄に「Ｄｓｔ」が設定されたＴａｒｇｅｔ  Ｐａｃｋｅｔｓの欄には、調査結果パケットＰ３に含まれる採取対象パケット受信統計情報が表示されている。
【００５７】
Ｌｏｓｔ  Ｐａｃｋｅｔｓの欄には、ロスしたパケットの数が表示されている。なお、ロスしたパケットの数は、採取対象パケット送信統計情報のパケット数から採取対象パケット受信統計情報のパケット数を減算したものである。
【００５８】
＜調査データ削除コマンド＞
次に、調査データ削除コマンドを説明する。調査データ削除コマンドは、調査開始パケットＰ１に基づきパケット調査を行っているパケット管理装置のメモリ領域から、指定したリサーチ番号の調査開始パケットＰ１に関する情報を削除させる際にネットワーク管理者がネットワーク管理装置５に入力するコマンドである。
【００５９】
図１１は、調査データ削除コマンドを入力することによりモニタに表示されるコマンド画面の一例である。
図１１に示すコマンド画面６４の３行目には、ネットワーク管理者が、リサーチ番号１の調査開始パケットＰ１に関するデータの削除を希望したことを示す「delete research1」が表示されている。
【００６０】
例えば調査データ削除コマンドを受け付けたパケット管理装置３ｂは、削除対象のリサーチ番号１のデータをメモリ領域３２ａから削除する。また、調査データ削除コマンドを受け付けたパケット管理装置３ｂは、他のメモリ領域３２ａのリサーチ番号を１つ減らす。
【００６１】
また、コマンド画面６４の６行目には、ネットワーク管理者が、リサーチ番号４の調査内容データ３２１の表示を希望する調査データ表示コマンド「show research 4」を入力したことが表示されている。そして、コマンド画面６２の７行目以降には、調査データ表示コマンド「show research 4」の入力によりパケット管理装置３ｃから受け取った調査データが表示されている。なお、リサーチ番号１の調査データを削除したため、リサーチ番号５だった調査内容データ３２１のリサーチ番号は、４になる。
【００６２】
次に、パケット管理装置３ａ〜３ｃの処理を説明する。
パケット管理装置３ｃのコマンドラインインタフェースは、調査開始パケットＰ１をネットワーク管理装置５から受信すると、調査開始パケットＰ１に含まれる依頼元ＩＰアドレスおよび依頼先ＩＰアドレスの欄を参照する。そして、依頼元ＩＰアドレスの欄に含まれる依頼元ＩＰアドレスを有するパケット管理装置、および依頼先ＩＰアドレスの欄に含まれる依頼先ＩＰアドレスを有するパケット管理装置に調査開始パケットＰ１を転送する。
【００６３】
また、依頼元ＩＰアドレスの欄に含まれる依頼元ＩＰアドレスを有するパケット管理装置、および依頼先ＩＰアドレスの欄に含まれる依頼先ＩＰアドレスを有するパケット管理装置がパケット管理装置３ｃ自身である場合は、後述する第３の処理を行う。
【００６４】
調査開始パケットＰ１を受信したパケット管理装置３ａ〜３ｃのコマンドラインインタフェースは、調査開始パケットＰ１に応じた調査内容データ３２１をメモリ領域に記憶する。そして、調査開始パケットＰ１を受け取ったパケット管理装置３ａ〜３ｃのパケット転送処理部は、以下に示す第１の処理を繰り返し実行する。以下、一例として、パケット管理装置３ｂが、図４に示すコマンド画面６１により入力された内容の調査開始パケットＰ１を受信したときの処理（第１の処理）を説明する。
【００６５】
図１２は、第１の処理を示すフローチャートである。
［ステップＳ１］  パケット転送処理部３１ａは、各メモリ領域３２ａに記憶されている調査内容データ３２１のうち、現在の時刻が調査開始時刻以後の調査内容データ３２１が存在するか否かを判断する。現在の時刻が調査開始時刻以後の調査内容データ３２１が存在する場合（ステップＳ１のＹｅｓ）、ステップＳ２に遷移する。現在の時刻が調査開始時刻以後の調査内容データ３２１が存在しない場合（ステップＳ１のＮｏ）、ステップＳ１の処理を繰り返し実行する。
【００６６】
［ステップＳ２］  パケット転送処理部３１ａは、現在の時刻が、ステップＳ１の条件を満たした調査内容データ３２１の調査終了時刻以後か否かを判断する。現在の時刻が、ステップＳ１の条件を満たした調査内容データ３２１の調査終了時刻以後である場合（ステップＳ２のＹｅｓ）、ステップＳ３に遷移する。現在の時刻が、ステップＳ１の条件を満たした調査内容データ３２１の調査終了時刻以後ではない場合、すなわち、現在の時刻が調査終了時刻より前である場合（ステップＳ２のＮｏ）、ステップＳ６に遷移する。
【００６７】
［ステップＳ３］  パケット転送処理部３１ａは、調査内容データ３２１に含まれる宛先ＩＰアドレスを備えるクライアント装置１ｂを確認する。そして、クライアント装置１ｂに接続されているインタフェース３３ａに対応するパケットロス調査部３４３ａがＯＮか（動作しているか）否かを判断する。パケットロス調査部３４３ａがＯＮである場合（ステップＳ３のＹｅｓ）、ステップＳ４に遷移する。パケットロス調査部３４３ａがＯＦＦである場合（ステップＳ３のＮｏ）、ステップＳ１に遷移し、ステップＳ１以降の処理を繰り返し実行する。
【００６８】
［ステップＳ４］  パケット転送処理部３１ａは、ステップＳ１およびステップＳ２の条件を満たした調査内容データ３２１に含まれる依頼先フラグをＯＦＦに設定する。その後、ステップＳ５に遷移する。
【００６９】
［ステップＳ５］  パケット転送処理部３１ａは、ステップＳ１およびステップＳ２の条件を満たした調査内容データ３２１に対応する調査結果パケットＰ３を作成する。そして、作成した調査結果パケットＰ３を、調査内容データ３２１に含まれる依頼元ＩＰアドレスを備えるパケット管理装置３ｃに送信する。その後、ステップＳ１に遷移し、ステップＳ１以降の処理を繰り返し実行する。
【００７０】
［ステップＳ６］  パケット転送処理部３１ａは、パケットロス調査部３４３ａがＯＦＦに設定されているか否かを判断する。パケットロス調査部３４３ａがＯＦＦに設定されている場合（ステップＳ６のＹｅｓ）、ステップＳ７に遷移する。パケットロス調査部３４３ａがＯＦＦに設定されていない場合（ステップＳ６のＮｏ）、ステップＳ１に遷移し、ステップＳ１以降の処理を繰り返し実行する。
【００７１】
［ステップＳ７］  パケット転送処理部３１ａは、計測部３４ａ〜３４ｄが有するパケットロス調査部をＯＮに設定する。この処理により、計測部３４ａ〜３４ｄが有するパケットロス調査部は、パケットロスの調査を開始する。その後、ステップＳ１に遷移し、ステップＳ１以降の処理を繰り返し実行する。
【００７２】
第１の処理後に調査開始パケットＰ１を受信した各パケット管理装置は、時刻の同期を取る処理を行う。また、第１の処理後に調査開始パケットＰ１を受信したパケット管理装置３ｂの各パケットロス調査部は、以下に示す第２の処理を実行する。以下、一例として、インタフェース３３ｃがパケットを受信した場合のパケット管理装置３ｂの処理（第２の処理）を説明する。この例では、サーバ装置２が第１の装置の一例であり、クライアント装置１ｂが第２の装置の一例である。また、インタフェース３３ｃが第１のインタフェースの一例であり、計測部３４ｃが第１の計測部の一例である。
【００７３】
図１３は、第２の処理を示すフローチャートである。
［ステップＳ１１］  パケットロス調査部３４３ｃは、インタフェース３３ｃが受信したパケットのコマンド種別に基づいて、インタフェース３３ｃが受信したパケットが、パケット管理装置３ａまたはパケット管理装置３ｃが送信した調査結果パケットＰ３か否かを判断する。受信したパケットが調査結果パケットＰ３である場合（ステップＳ１１のＹｅｓ）、ステップＳ１２に遷移する。受信したパケットが調査結果パケットＰ３ではない場合（ステップＳ１１のＮｏ）、ステップＳ１３に遷移する。
【００７４】
［ステップＳ１２］  パケットロス調査部３４３ｃは、受信したパケット（すなわち、調査結果パケットＰ３）のリサーチ番号と同じリサーチ番号を備えるメモリ領域３２ａの調査内容データ３２１を特定する。そして、特定した調査内容データ３２１を、受信した調査結果パケットＰ３のパケット内容で更新する。その後、図１０の処理を終了する。
【００７５】
［ステップＳ１３］  パケットロス調査部３４３ｃは、インタフェース３３ｃが受信したパケットが調査対象のパケットか否かを判断する。具体的には、各メモリ領域３２ａに記憶されている調査内容データ３２１を参照する。そして、各調査内容データ３２１および受信したパケットそれぞれの宛先ＩＰアドレス、宛先ポート番号、送信元ＩＰアドレスおよび送信元ポート番号を比較する。そして、宛先ＩＰアドレス、宛先ポート番号、送信元ＩＰアドレスおよび送信元ポート番号の全てが一致する調査内容データ３２１が存在すると、受信したパケットが調査対象のパケットであると判断する。以下、宛先ＩＰアドレス、宛先ポート番号、送信元ＩＰアドレスおよび送信元ポート番号の全てが一致した調査内容データ３２１を、「対象調査内容データ３２１」と言う。受信したパケットが調査対象のパケットである場合（ステップＳ１３のＹｅｓ）、ステップＳ１４に遷移する。受信したパケットが調査対象のパケットではない場合（ステップＳ１３のＮｏ）、ステップＳ１６に遷移する。
【００７６】
［ステップＳ１４］  パケットロス調査部３４３ｃは、対象調査内容データ３２１に設定されている調査開始時刻と調査終了時刻に基づいて、現在時刻がパケット調査時間内か否かを判断する。現在時刻がパケット調査時間内である場合（ステップＳ１４のＹｅｓ）、ステップＳ１５に遷移する。現在時刻がパケット調査時間内ではない場合（ステップＳ１４のＮｏ）、ステップＳ１８に遷移する。
【００７７】
［ステップＳ１５］  パケットロス調査部３４３ｃは、対象調査内容データ３２１の宛先パケット量カウンタをインクリメントする。その後、ステップＳ１８に遷移する。
［ステップＳ１６］  パケットロス調査部３４３ｃは、パケットに含まれるコマンド種別の内容に基づいて、インタフェース３３ｃが受信したパケットが調査開始パケットＰ１か否かを判断する。受信したパケットが調査開始パケットＰ１である場合（ステップＳ１６のＹｅｓ）、ステップＳ１７に遷移する。受信したパケットが調査開始パケットＰ１ではない場合（ステップＳ１６のＮｏ）、ステップＳ１８に遷移する。
【００７８】
［ステップＳ１７］  パケットロス調査部３４３ｃは、メモリ領域３２ａを作成する。そして、作成したメモリ領域３２ａに調査開始パケットＰ１に対応する調査内容データ３２１を記憶する。また、調査内容データ３２１の依頼先フラグをＯＮに設定する。その後、図１０の処理を終了する。
【００７９】
［ステップＳ１８］  パケットロス調査部３４３ｃは、受信したパケットをパケットロス調査部３４３ａに送る。その後、図１０の処理を終了する。
次に、パケットロス調査部３４３ｃ、またはコマンドラインインタフェース３５からパケットを受け取ったパケットロス調査部３４３ａの処理（第３の処理）を説明する。
【００８０】
図１４は、第３の処理を示すフローチャートである。
［ステップＳ２１］  パケットロス調査部３４３ａは、パケットが調査対象のパケットか否かを判断する。なお、調査対象のパケットか否かの判断方法は、図１３のステップＳ１３にて述べた方法と同じ方法を用いることができる。パケットが調査対象のパケットである場合（ステップＳ２１のＹｅｓ）、ステップＳ２２に遷移する。パケットが調査対象のパケットではない場合（ステップＳ２１のＮｏ）、ステップＳ２４に遷移する。
【００８１】
［ステップＳ２２］  パケットロス調査部３４３ａは、対象調査内容データ３２１に設定されている調査開始時刻と調査終了時刻に基づいて、現在時刻がパケット調査時間内か否かを判断する。現在時刻がパケット調査時刻である場合（ステップＳ２２のＹｅｓ）、ステップＳ２３に遷移する。現在時刻がパケット調査時刻ではない場合（ステップＳ２２のＮｏ）、ステップＳ２６に遷移する。
【００８２】
［ステップＳ２３］  パケットロス調査部３４３ａは、対象調査内容データ３２１の送信元パケット量カウンタをインクリメントする。その後、ステップＳ２６に遷移する。
［ステップＳ２４］  パケットロス調査部３４３ａは、パケットに含まれるコマンド種別の内容に基づいて、計測部３４ａから送られてきたパケットが調査開始パケットＰ１か否かを判断する。計測部３４ａから送られてきたパケットが調査開始パケットＰ１である場合（ステップＳ２４のＹｅｓ）、ステップＳ２５に遷移する。計測部３４ａから送られてきたパケットが調査開始パケットＰ１ではない場合（ステップＳ２４のＮｏ）、ステップＳ２６に遷移する。
【００８３】
［ステップＳ２５］  パケットロス調査部３４３ａは、調査開始パケットＰ１に対応するメモリ領域３２ａを作成する。そして、作成したメモリ領域３２ａに調査開始パケットＰ１に対応する調査内容データ３２１を記憶する。また、調査内容データ３２１の依頼先フラグをＯＮに設定する。その後、図１１の処理を終了する。
【００８４】
［ステップＳ２６］  パケットロス調査部３４３ａは、パケットロス調査部３４３ｃから送られてきたパケットを、インタフェース３３ａから転送する。その後、図１１の処理を終了する。
【００８５】
以上述べたように、ネットワークシステム１０によれば、受信した調査対象のパケットに基づき宛先パケット量カウンタのカウンタ値をインクリメントし、送信する調査対象のパケットに基づき送信元パケット量カウンタのカウンタ値をインクリメントするようにした。そして、両カウンタ値を比較することにより、パケットのロスを計数するようにした。従って、パケット調査時間におけるパケット管理装置３ｃが受信したパケットの数およびパケット管理装置３ｂが転送するパケットの数を一度の設定で測定することができる。従って、パケット調査を簡略化することができる。また、パケット管理装置３ｃが転送するパケットの数も測定するため、ネットワーク４内のパケットの数だけを測定する場合に比べ、パケットロスをより確実に検出することができる。また、ネットワークを通過するパケットの中から調査対象のパケットを特定し、特定したパケットを測定するので、例えば品質測定用に用意した特殊なパケットを用いなくても、パケットの数を測定することができる。
【００８６】
以上、本発明のパケット管理装置およびパケット管理方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００８７】
また、本発明は、前述した各実施の形態のうちの、任意の２以上の構成（特徴）を組み合わせたものであってもよい。
なお、上記の処理機能は、コンピュータによって実現することができる。その場合、パケット管理装置３ａ〜３ｃそれぞれが有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００８８】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００８９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００９０】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００９１】
１ａ、１ｂ  クライアント装置
２  サーバ装置
３ａ、３ｂ、３ｃ  パケット管理装置
４、４ａ、４ｂ、４ｃ  ネットワーク
５  ネットワーク管理装置
１０  ネットワークシステム
３１ａ  パケット転送処理部
３２ａ  メモリ領域
３２１  調査内容データ
３３ａ〜３３ｄ  インタフェース
３４ａ〜３４ｄ  計測部
３４１ａ  パケットフィルタ
３４２ａ  統計情報記憶部
３４３ａ、３４３ｃ  パケットロス調査部
５４ａ  モニタ
６１〜６４  コマンド画面
Ｐ１  調査開始パケット
Ｐ２  受領確認パケット
Ｐ３  調査結果パケット
【図１】
2012213044.tif 000003
【図２】
2012213044.tif 000004
【図３】
2012213044.tif 000005
【図４】
2012213044.tif 000006
【図５】
2012213044.tif 000007
【図６】
2012213044.tif 000008
【図７】
2012213044.tif 000009
【図８】
2012213044.tif 000010
【図９】
2012213044.tif 000011
【図１０】
2012213044.tif 000012
【図１１】
2012213044.tif 000013
【図１２】
2012213044.tif 000014
【図１３】
2012213044.tif 000015
【図１４】
2012213044.tif 000016